(57)【要約】【課題】監視処理を中断することなく、バージョンアップを行う方法に関し、バージョンアップの処理過程に於ける監視処理を継続可能とする。【解決手段】通信装置１の共通制御部２のプロセッサ１１が実行するファームウェアのバージョンアップ時に、監視処理代行端末装置４を接続し、プロセッサ１１による監視処理を、監視処理代行端末装置４により代行するように、プロセッサ１１により切替制御し、ダウンロードした新バージョンのファームウェアをプロセッサ１１により実行できるように、プロセッサ１１の再立上げ処理を行い、再立上げ正常完了までの間は、点線矢印径路により、監視処理代行端末装置４により監視処理を継続し、正常完了により、プロセッサ１１は、実線矢印径路の最初の制御状態に復帰するように、各部を制御し、監視処理代行端末装置４の切り離しを行う。【選択図】図１
2010186226.tif 000002
【特許請求の範囲】
【請求項１】
プロセッサをそれぞれ含む共通制御部と複数の個別制御部とを有する通信装置のファームウェアのバージョンアップ方法に於いて、
前記共通制御部に搭載されたファームウェアのバージョンアップ処理時に、該共通制御部に監視処理代行端末装置を接続し、前記ファームウェアにより行っていた前記共通制御部の監視処理を、前記監視処理代行端末装置により代行するように、前記共通制御部のプロセッサにより切替える制御処理過程と、
前記プロセッサの制御により新バージョンのファームウェアのダウンロードを行い、該ファームウェアのダウンロード完了により、前記共通制御部のプロセッサの再立上げ処理を実行する制御処理過程と、
前記再立上げ処理の正常完了により、前記監視処理代行端末装置による監視処理を、前記共通制御部のプロセッサによる監視処理に切替えて、前記監視処理代行端末装置の切り離しを行う処理過程とを含む
ことを特徴とするファームウェアのバージョンアップ方法。
【請求項２】
プロセッサを含む共通制御部と、それぞれプロセッサを含み、単一又は複数の端末装置を接続する複数の個別制御部とを有する通信装置の前記個別制御部に搭載されたファームウェアのバージョンアップ方法に於いて、
前記個別制御部に監視処理代行端末装置を接続し、前記ファームウェアにより行っていた前記個別制御部の監視処理を、前記監視処理代行端末装置により代行するように、前記個別制御部のプロセッサにより切替える制御処理過程と、
前記個別制御部のプロセッサの制御により新バージョンのファームウェアのダウンロードを行い、該ファームウェアのダウンロード完了により、前記個別制御部のプロセッサの再立上げ処理を実行する制御処理過程と、
前記再立上げ処理の正常完了により、前記監視処理代行端末装置による監視処理を、前記個別制御部のプロセッサによる監視処理に切替えて、前記監視処理代行端末装置の切り離しを行う処理過程とを含む
ことを特徴とするファームウェアのバージョンアップ方法。
【請求項３】
共通制御部と複数の個別制御部とを含む通信装置の前記個別制御部に接続された端末装置に搭載されたファームウェアのバージョンアップ方法に於いて、
前記端末装置に監視処理代行端末装置を接続して、前記ファームウェアにより行っていた監視処理を、前記監視処理代行端末装置により代行するように、前記端末装置のプロセッサにより切替える制御処理過程と、
前記端末装置のプロセッサの制御により新バージョンのファームウェアを、前記通信装置を介してダウンロードし、該ダウンロードの完了により、前記端末装置のプロセッサの再立上げ処理を実行する制御処理過程と、
前記再立上げ処理の正常完了により、前記監視処理代行端末装置による監視処理を、前記端末装置のプロセッサによる監視処理に切替えて、前記監視処理代行端末装置の切り離しを行う処理過程とを含む
ことを特徴とするファームウェアのバージョンアップ方法。
【発明の詳細な説明】
【技術分野】
【０００１】
本発明は、通信システムに於けるファームウェアのバージョンアップ方法に関する。
【背景技術】
【０００２】
上位の保守・監視装置にネットワークを介して複数の通信装置を接続し、各通信装置に単一又は複数の端末装置を接続し、保守・監視装置により、ネットワークを介して各通信装置の保守・監視を行い、又各通信装置は、端末装置の保守・監視を行う通信システムが知られている。このような通信システムに於ける各通信装置に対するファームウェアについて、バージョンアップする必要が生じる場合が多いものである。図１０は、通信システムの概要を示し、保守・監視装置１０１と単一又は複数の通信装置１０２とを広域ネットワーク（ＷＡＮ；Ｗｉｄｅ  Ａｒｅａ  Ｎｅｔｗｏｒｋ）１０３に接続して、それぞれ相互間で通信可能の構成とし、各通信装置１０２には、単一又は複数の端末装置１０４を接続し、端末装置１０４間は、通信装置１０２を介して相互間で通信可能となっている。保守・監視装置１０１は、広域ネットワーク１０３を介して、各通信装置１０２の正常性の監視を行う機能を備えている。なお、各通信装置１０２に、複数の端末装置１０４をＰＯＮ（Ｐａｓｓｉｖｅ  Ｏｐｔｉｃａｌ  Ｎｅｔｗｏｒｋ）システムによって接続した場合を示す。
【０００３】
各通信装置１０２は、上位の保守・監視装置１０１からの指示に従ってファームウェアのバージョンアップ処理を行う場合がある。通常は、保守・監視装置１０１から、バージョンアップしたファームウェアを各通信装置１０２にダウンロードし、各通信装置１０２は、旧バージョンのファームウェアの代わりに、新バージョンのファームウェアをセットアップした後、新バージョンのファームウェアの立上げ処理を行うことになる。
【０００４】
前述のバージョンアップ処理の過程に於いては、新バージョンのファームウェアのダウンロードを行った後、再立上げ処理により、新バージョンのファームウェアによる制御処理が実行可能となる。その場合に、プロセッサは、リセット処理から再立上げ正常完了までの間は、各部の監視処理は中止することになる。そこで、運用面メモリ領域と非運用面メモリ領域とを有するメモリを設け、運用面メモリ領域には、現在運用中の旧バージョンのファームウェアを格納しておき、このファームウェアによる処理を実行し、その間にバージョンアップ要求に従ってダウンロードした新バージョンのファームウェアを非運用面メモリ領域に格納し、そのダウンロード処理が完了した後、旧バージョンのファームウェアと新バージョンのファームウェアとをマルチタスク処理により同時並行的に実行し、同期がとれたタイミングで、旧バージョンのファームウェアから新バージョンのファームウェアに切替えて処理を実行するバージョンアップ方法が提案されている（例えば、特許文献１参照）。
【先行技術文献】
【特許文献】
【０００５】
【特許文献１】特開平１１−７３８２号公報
【発明の概要】
【発明が解決しようとする課題】
【０００６】
ファームウェアのバージョンアップの際に、一般的には、新バージョンのファームウェアに切替える為に、ファームウェアを実行するプロセッサの再立上げ処理を行うものであるから、リセットから再立上げ正常完了までの間、例えば、図１０に於ける通信装置１０２のファームウェアのバージョンアップ処理に於いて、保守・監視装置１０１から通信装置１０２の状態監視を行うことができない問題がある。又前述の特許文献１の場合、余分なメモリ領域を確保しておく必要があり、通信装置１０２としてのコストアップの問題と、プロセッサの機能アップを必要とする問題がある。
【０００７】
本発明は、前述の従来例の問題点を解決するもので、パソコン等の運搬が容易な端末装置を利用して、通信装置のファームウェアのバージョンアップ処理中も、状態監視を可能とするものである。
【課題を解決するための手段】
【０００８】
本発明のファームウェアのバージョンアップ方法は、プロセッサをそれぞれ含む共通制御部と複数の個別制御部とを有する通信装置のファームウェアのバージョンアップ方法であって、共通制御部に搭載されたファームウェアのバージョンアップ処理時に、この共通制御部に監視処理代行端末装置を接続し、ファームウェアにより行っていた共通制御部の監視処理を、監視処理代行端末装置により代行するように、共通制御部のプロセッサにより切替える制御処理過程と、前記プロセッサの制御により新パージョンのファームウェアのダウンロードを行い、このファームウェアのダウンロード完了により、共通制御部のプロセッサの再立上げ処理を実行する制御処理過程と、再立上げ処理の正常完了により、監視処理代行端末装置による監視処理を、共通制御部のプロセッサによる監視処理に切替えて、監視処理代行端末装置の切り離しを行う処理過程とを含むものである。
【０００９】
又プロセッサを含む共通制御部と、それぞれプロセッサを含み、単一又は複数の端末装置を接続する複数の個別制御部とを有する通信装置の前記個別制御部に搭載されたファームウェアのバージョンアップ方法であって、個別制御部に監視処理代行端末装置を接続し、ファームウェアにより行っていた個別制御部の監視処理を、監視処理代行端末装置により代行するように、個別制御部のプロセッサにより切替える制御処理過程と、個別制御部のプロセッサの制御により新バージョンのファームウェアのダウンロードを行い、このファームウェアのダウンロード完了により、個別制御部のプロセッサの再立上げ処理を実行する制御処理過程と、再立上げ処理の正常完了により、監視処理代行端末装置による監視処理を、個別制御部のプロセッサによる監視処理に切替えて、監視処理代行端末装置の切り離しを行う処理過程とを含むものである。
【００１０】
又共通制御部と複数の個別制御部とを含む通信装置の個別制御部に接続された端末装置に搭載されたファームウェアのバージョンアップ方法であって、記端末装置に監視処理代行端末装置を接続して、ファームウェアにより行っていた監視処理を、監視処理代行端末装置により代行するように、端末装置のプロセッサにより切替える制御処理過程と、端末装置のプロセッサの制御により新バージョンのファームウェアを、通信装置を介してダウンロードし、ダウンロード完了により、端末装置のプロセッサの再立上げ処理を実行する制御処理過程と、再立上げ処理の正常完了により、監視処理代行端末装置による監視処理を、端末装置のプロセッサによる監視処理に切替えて、監視処理代行端末装置の切り離しを行う処理過程とを含むものである。
【発明の効果】
【００１１】
監視処理代行端末装置は、携帯可能のパソコン等により構成することも可能であり、通信装置や端末装置のファームウェアのバージョンアップ処理時に、通信装置や端末装置に対してコネクタ等により簡単に接続することが可能である。そして、ファームウェアをダウンロードした後、再立上げ処理の正常完了までの間の各部の監視処理を、監視処理代行端末装置により行うことができるから、システムの信頼性を継続することができる。
【図面の簡単な説明】
【００１２】
【図１】本発明の実施例１のシステム構成の説明図である。
【図２】本発明の実施例１のシーケンス説明図である。
【図３】本発明の実施例１のシーケンス説明図である。
【図４】本発明の実施例２のシステム構成の説明図である。
【図５】本発明の実施例２のシーケンス説明図である。
【図６】本発明の実施例２のシーケンス説明図である。
【図７】本発明の実施例３のシステム構成の説明図である。
【図８】本発明の実施例３のシーケンス説明図である。
【図９】本発明の実施例３のシーケンス説明図である。
【図１０】従来の通信システムの説明図である。
【発明を実施するための形態】
【００１３】
本発明のファームウェアのバージョンアップ方法は、図１を参照すると、通信装置１の共通制御部（ＣＯＭ）２は、プロセッサ（ＣＰＵ）１１と、制御処理部１２〜１３と、インタフェース部１５，１６とをそれぞれ含む構成を有し、且つ複数の個別制御部３−１，３−２，・・・３−ｎとを有する通信装置に於けるファームウェアのバージョンアップ方法であって、共通制御部２に搭載されたファームウェアのバージョンアップ処理時に、この共通制御部２に監視処理代行端末装置４を接続し、ファームウェアにより行っていた共通制御部２のプロセッサ１１による監視処理を、監視処理代行端末装置４により代行するように、共通制御部２のプロセッサ１１により切替える制御処理過程と、プロセッサ１１の制御により新パージョンのファームウェアのダウンロードを行い、このファームウェアのダウンロード完了により、共通制御部２のプロセッサ１１の再立上げ処理を実行する制御処理過程と、再立上げ処理の正常完了により、監視処理代行端末装置４による監視処理を、共通制御部２のプロセッサ１１による監視処理に切替えて、監視処理代行端末装置４の切り離しを行う処理過程とを含むものである。
【実施例１】
【００１４】
図１は、本発明の実施例１のシステム構成の説明図であり、１は通信装置、２は共通制御部（ＣＯＭ）、３−１，３−２，・・・３−ｎは個別処理部（ＩＦ）、４はパーソナルコンピュータ等による監視処理代行端末装置、１１はファームウェアにより各部の制御及び監視を行うプロセッサ（ＣＰＵ）、１２〜１４はＦＰＧＡ（Ｆｉｅｌｄ  Ｐｒｏｇｒａｍｍａｂｌｅ  Ｇａｔｅ  Ａｒｒａｙ）等により構成されてデータ等の転送処理を行う同一又は異なる構成の制御処理部、１５，１６は外部と接続する為のコネクタ等を含むインタフェース部である。なお、通信装置１のインタフェース部１６と広域ネットワーク（ＷＡＮ）を介して接続する上位の保守・監視装置と、他の通信装置及び個別処理部３−１，３−２，・・・３−ｎにそれぞれ接続するユーザ等が使用する端末装置とは、図示を省略している。
【００１５】
通信装置１の共通制御部２は、プロセッサ１１と複数の制御処理部１２〜１４とインタフェース部１５，１６とを含む構成を有し、広域ネットワーク（ＷＡＮ）を介して上位の保守・監視装置（図示を省略）との間で保守情報や監視情報等の送受信を行い、又複数の個別処理部３−１，３−２，・・・３−ｎの監視等を行うと共に、広域ネットワークを介して他の通信装置との間のデータ等の送受信処理を行う。通常の通信制御処理は、監視処理代行端末装置４を取り外した状態で実行するものであり、従って、通信装置１は、広域ネットワーク（ＷＡＮ）を介した他の通信装置との間及び上位の保守・監視装置との間の通信制御処理及び個別処理部３−１，３−２，・・・３−ｎを介したユーザ等の端末装置との間の通信制御処理を、プロセッサ１１の制御処理により実行する。なお、個別処理部３−１，３−２，・・・３−ｎもそれぞれプロセッサや複数の制御処理部を含む構成を有するもので、ユーザの端末装置との間のデータ通信制御等を行う。
【００１６】
又共通制御部２のプロセッサ１１は、ファームウェアによる制御処理及び監視処理を実行するものであり、そのファームウェアのバージョンアップを行う場合、監視処理代行端末装置４をＬＡＮケーブル等によりインタフェース部１６に接続する。この監視処理代行端末装置４はパーソナルコンピュータ等により構成することができるものであり、この監視処理代行端末装置４を接続しない通常の通信制御処理を行っている場合は、プロセッサ１１と広域ネットワークとの間及び個別処理部３−１，３−２，・・・３−ｎとの間は、実線矢印の径路で各種制御情報、監視情報、各種データ等の転送を行うものである。又プロセッサ１１のファームウェアをバージョンアップする場合、先ず、監視処理代行端末装置４を前述のようにＬＡＮケーブル等によりインタフェース部１６のコネクタに接続し、監視処理代行端末装置４のログイン処理を行う。このログイン処理はプロセッサ１１により実行する。このログイン完了により、プロセッサ１１は、制御処理部１２，１３，１４による転送経路の設定を切替えることにより、監視及び制御の情報は、点線矢印で示す経路で、監視処理代行端末装置４との間に転送される。従って、ファームウェアのバージョンアップ処理により、プロセッサ１１を再立上げする場合、立上げ完了までの間は、監視処理代行端末装置４がプロセッサ１１の代わりに、各部の監視処理及び上位の保守・監視装置との間の情報の代行送受信処理を行うことができる。このように、監視処理代行端末装置４により、ファームウェアのバージョンアップ処理時の保守・監視の空白期間が生じないようにすることができる。又通信装置１としては、二重化構成等の冗長構成は必要としないので、システムコストの増加の問題を回避することができる。
【００１７】
図２及び図３は、本発明の実施例１のシーケンス説明図であり、符号１０は、図１では図示を省略した上位の保守・監視装置を示し、他の符号は、図１に於ける共通制御部２のプロセッサ１１、制御処理部１２，１３，１４、監視処理代行端末装置４を示す。先ず、ケーブル接続として示すように、監視処理代行端末装置４を通信装置１のインタフェース部１６のコネクタに接続し、監視処理代行端末装置４に予め格納しあるファームウェア監視処理代行アプリケーションを立上げ、インタフェース部１６と制御処理部１３とを介してプロセッサ１１に対してログイン要求を行う。プロセッサ１１によるログイン処理ＯＫにより、プロセッサ１１から制御処理部１３を介して監視処理代行端末装置４にログイン処理結果を通知する。このログイン成功により、監視処理代行端末装置４は、監視処理の代行を開始する。又プロセッサ１１は、制御処理部１２，１３を制御し、制御処理部１３を介した監視処理代行端末装置４との間のデータ送受信を開始する。その場合、制御処理部１４は、ファームウェアによる監視処理データのみ、上位の保守・監視装置１０に転送する。
【００１８】
そして、プロセッサ１１は保守・監視装置１０からバージョンアップのファームウェアのダウンロードを開始し、ダウンロードの完了により、保守・監視装置１０は、旧バージョンと新バージョンとのファームウェアの切替えコマンドをプロセッサ１１に送出する。プロセッサ１１は、転送データ切替処理により、制御処理部１４対して、監視処理代行端末装置（ＰＣ）４からのデータのみを保守・監視装置１０に転送するように指示し、プロセッサ（ＣＰＵ）１１のリセット処理を実行し、再立上げにより、新バージョンのファームウェアを立上げ、この再立上げの正常完了により、転送データの切替処理として、制御処理部１４に対して、ＣＯＭファームから、即ち、プロセッサ１１からのデータのみを上位の保守・監視装置１０へ転送するように指示する。
【００１９】
次に、監視処理代行端末装置４のファームウェア監視処理代行のアプリケーションを立上げ、ログアウト処理を行い、プロセッサ１１は、これに対して、ログアウト処理ＯＫを監視処理代行端末装置４に転送し、監視処理代行端末装置４のケーブルを、インタフェース部１６のコネクタから抜去する。又プロセッサ１１は、制御処理部１２，１３に対して、最初の転送処理状態に復帰させ、その後、プロセッサ１１を含む共通制御部２による各部のデータ転送処理等を実行する通常処理に移行する。従って、プロセッサ１１の再立上げ処理の正常完了までの間の通信装置１内の各部の監視処理を、監視処理代行端末装置４により実行することにより、システムの信頼性を確保することができる。
【実施例２】
【００２０】
図４は、本発明の実施例２の説明図であり、通信装置１としては前述の図１に示す通信装置１と同様であり、共通制御部（ＣＯＭ）２と複数の個別処理部（ＩＦ）３−１、３−２，・・・３−ｎとを含む構成を有し、各個別処理部３−１、３−２，・・・３−ｎは、プロセッサ（ＣＰＵ）３１と、ＦＰＧＡ等により構成された制御処理部３２，３３，３４と、コネクタを含むインタフェース部３６とを有し、共通制御部２とは、制御処理部３４を介して接続されている。又各個別処理部３−１、３−２，・・・３−ｎにはユーザ等の端末装置３７が接続されている。この場合の各端末装置３７は、ＰＯＮ（Ｐａｓｓｉｖｅ  Ｏｐｔｉｃａｌ  Ｎｅｔｗｏｒｋ）システムによって接続した場合を示す。
【００２１】
又監視処理代行端末装置４は、図１に示す監視処理代行端末装置４と同一又は異なる構成とすることができるもので、プロセッサ３１による監視処理を代行する為のアプリケーションを格納し、各個別処理部３−１，３−２，・・・３−ｎは、それぞれのプロセッサ３１のファームウェアのバージョンアップ処理時に、ＬＡＮケーブル等により、インタフェース部３６のコネクタに接続する。なお、通常は、実線矢印の径路により、プロセッサ３１の制御による監視データ等を含む各種データは転送され、監視処理代行端末装置４を接続して、ファームウェアのバージョンアップ処理を行う時は、点線矢印の経路で転送されるように、プロセッサ３１により、各制御処理部３２，３３，３４の転送処理径路の設定変更を制御する。従って、プロセッサ３１のファームウェアのバージョンアップ処理時に、監視処理代行端末装置４は、点線矢印の径路で転送された監視データ等を、制御処理部３４から共通制御部２を介して上位の保守・監視装置へ転送することができる。
【００２２】
図５及び図６は、本発明の実施例２のシーケンス説明図であり、図４に於ける共通制御部２と、個別制御部のプロセッサ（ＣＰＵ）３１と、制御処理部３２〜３４と、監視処理代行端末装置４とを示し、図２及び図３に示すシーケンスと略同じシーケンスを行うものである。先ず、図４に於ける個別処理部３−１のプロセッサ３１のファームウェアのバージョンアップ時に、ケーブル接続として示すように、監視処理代行端末装置４を、通信装置１の個別処理部３−１のインタフェース部３６に設けたコネクタに接続し、監視処理代行端末装置４に予め格納してあるファームウェア監視処理代行アプリケーションを立上げ、インタフェース部３６と制御処理部３３とを介してプロセッサ３１に対してログイン要求を行う。プロセッサ３１によるログイン処理ＯＫにより、プロセッサ３１から制御処理部３３を介して監視処理代行端末装置４にログイン処理結果を通知する。このログイン成功により、監視処理代行端末装置４は、監視処理を開始する。又プロセッサ３１は、制御処理部３２，３３,３４に通知して、制御処理部３３を介した監視処理代行端末装置４との間のデータ送受信を開始する。その場合、制御処理部３４は、ファームウェアによる監視処理データを、共通制御部２へ転送する。それにより、共通制御部２は、上位の保守・監視装置へ転送する。
【００２３】
そして、プロセッサ３１に対するファームウェアを、共通制御部２を介してダウンロードする。この場合、共通制御部２の図示を省略したメモリに、予めプロセッサ３１に対するファームウェアを、保守・監視装置から広域ネットワークを介してダウンロードして保持しておくことができる。プロセッサ３１に対するファームウェアのダウンロードの完了により、共通制御部２から、旧バージョンと新バージョンとのファームウェアの切替えのコマンドをプロセッサ３１に送出し、転送データ切替処理により、制御処理部３４対して、監視処理代行端末装置（ＰＣ）４からのデータのみを上位の共通制御部２へ転送するように指示する。そして、プロセッサ（ＣＰＵ）３１のリセット処理を実行し、再立上げにより、新バージョンのファームウェアを立上げ、転送データの切替処理として、制御処理部３４に対して、ＣＯＭファームから、即ち、プロセッサ３１からのデータのみを、共通制御部２へ転送するように指示する。共通制御部２は、必要に応じて上位の保守・監視装置１０へ転送する。
【００２４】
次に、監視処理代行端末装置４のファームウェア監視処理代行のアプリケーションを立上げ、ログアウト処理を行い、プロセッサ３１は、これに対して、ログアウト処理ＯＫを監視処理代行端末装置４に転送し、監視処理代行端末装置４のケーブルを、インタフェース部３６のコネクタから抜去し、又プロセッサ３１は、制御処理部３２，３３に対して、最初の転送処理状態に復帰させ、その後、プロセッサ３１を含む個別処理部３−１は、端末装置３７との間を含む各種データの伝送制御を行う。又他の個別処理部３−２，・・・３−ｎに対しても、順次監視処理代行端末装置４を接続して、前述と同様な処理により、それぞれのファームウェアのバージョンアップ処理を実行することができる。
【実施例３】
【００２５】
図７は、本発明の実施例３の説明図であり、３は通信装置の個別処理部（ＩＦ）、４は監視処理代行端末装置、３７−１，３７−２，・・・３７−ｎはユーザの端末装置、６１はプロセッサ（ＣＰＵ）、６２〜６４はＦＰＧＡ等により構成された制御処理部、６５，６６はコネクタを含むインタフェース部である。端末装置３７−１，３７−２，・・３７−ｎは、分散配置されている場合に、通信装置の個別処理部３との間をＰＯＮ（Ｐａｓｓｉｖｅ  Ｏｐｔｉｃａｌ  Ｎｅｔｗｏｒｋ）方式を適用して接続することができる。その場合は、個別処理部３及びインタフェース部６５は、光電変換及び電光変換の機能を設けて、光ファイバ伝送路により接続することになる。
【００２６】
プロセッサ６１による通常の監視処理に於けるデータの流れは、プロセッサ６１による制御処理部６２〜６４の転送径路設定制御により、実線矢印で示す径路である。又ファームウェアのバージョンアップを行う場合は、点線矢印で示す径路として、プロセッサ６１に代わって、監視処理代行端末装置４による監視処理を実行する。このファームウェアのバージョンアップを行う場合、監視処理代行端末装置４をインタフェース部６６の例えばコネクタによりＬＡＮケーブルで接続し、プロセッサ６１の再立上げ処理の期間、監視処理代行端末装置４により各部の監視処理を行う処理を実行するものである。この監視処理代行端末装置４は、前述の各実施例に於ける監視処理代行端末装置４と同一とすることも可能であり、又異なる構成とすることも可能である。
【００２７】
図８及び図９は、本発明の実施例３のシーケンス説明図であり、図７に於ける個別処理部（ＩＦ）３と、端末装置のプロセッサ６１と、制御処理部６２〜６４と、監視処理代行端末装置４との処理を示す。先ず、ケーブル接続として示すように、監視処理代行端末装置４を端末装置３７−１のインタフェース部６６のコネクタに接続し、監視処理代行端末装置４に予め格納してあるファームウェア監視処理代行アプリケーションを立上げ、インタフェース部６６と制御処理部６３とを介してプロセッサ６１に対してログイン要求を行い、プロセッサ６１によるログイン処理ＯＫにより、プロセッサ６１から制御処理部６３を介して監視処理代行端末装置４にログイン処理結果を通知する。このログイン成功により、監視処理代行端末装置４は、監視処理を開始する。又プロセッサ６１は、制御処理部６２，６３，６４に通知して、制御処理部６３を介した監視処理代行端末装置４との間のデータ送受信を開始する。
【００２８】
次に、プロセッサ６１に対するファームウェアを、通信装置の個別処理部３介してダウンロードする。そのダウンロードの完了により、旧バージョンと新バージョンとのファームウェアの切替えのコマンドをプロセッサ６１が受信し、転送データ切替処理を行うもので、監視処理代行端末装置（ＰＣ）４からのデータのみを個別処理部３へ転送するように指示する。そして、プロセッサ（ＣＰＵ）６１のリセット処理を実行し、再立上げにより、新バージョンのファームウェアを立上げ、転送データの切替処理として制御処理部３４に対してＣＯＭファームから、即ち、プロセッサ３１からのデータのみを、個別処理部３へ転送するように指示する。個別処理部３は、必要に応じて、通信装置１の上位の保守・監視装置１０へ転送する。
【００２９】
次に、監視処理代行端末装置４のファームウェア監視処理代行のアプリケーションを立上げ、ログアウト処理を行い、プロセッサ６１は、これに対して、ログアウト処理ＯＫを監視処理代行端末装置４に転送し、監視処理代行端末装置４のケーブルを、インタフェース部６６のコネクタから抜去し、又プロセッサ６１は、制御処理部６２，６３に対して、最初の転送処理状態に復帰させる。他の端末装置３７−２，・・・３−ｎに対しても同様な処理により、それぞれのファームウェアのバージョンアップ処理を行い、その処理過程に於いても、監視処理代行端末装置４により、監視処理を代行して継続することが可能となる。
【符号の説明】
【００３０】
１  通信装置
２  共通制御部（ＣＯＭ）
３−１，３−２，・・・３−ｎ  個別処理部（ＩＦ）
４  監視処理代行端末装置
１１  プロセッサ（ＣＰＵ）
１２，１３，１４  制御処理部
１５，１６  インタフェース部
【図１】
2010186226.tif 000003
【図２】
2010186226.tif 000004
【図３】
2010186226.tif 000005
【図４】
2010186226.tif 000006
【図５】
2010186226.tif 000007
【図６】
2010186226.tif 000008
【図７】
2010186226.tif 000009
【図８】
2010186226.tif 000010
【図９】
2010186226.tif 000011
【図１０】
2010186226.tif 000012